(57)【特許請求の範囲】
【請求項１】
遊技場の島設備に設置された遊技機の背面側から排出される遊技球を受け入れて遊技球検出器へ導き、該遊技球検出器を経た遊技球を島設備内の遊技球回収樋へ導出する遊技球回収装置であって、
前記遊技機の背面側から排出される遊技球を受け入れる球受け空部と、
前記球受け空部に受け入れられた遊技球を遊技球検出器へ導く標準的な球誘導路であって、上流側で前後方向の流路である流入部、該流入部に連なり流下方向を右側方へ曲げつつ球の流れを整える整流部と、該整流部に連なり最下流端が遊技球検出器に至る流出部と、からなる標準流路と、
前記球受け空部の標準流路における流入部の近傍に形成され、前記球受け空部へ多量の遊技球を受け入れたときに前記標準流路の流入部に受け入れられなかった遊技球が溢れ出ることが可能な開口であり、球受け空部から標準流路へ導入されずに溢れ出た遊技球を流入部よりも下流側の整流部へショートカットして流入させる溢れ球流下許容開口部と、
前記溢れ球流下許容開口部から標準流路の整流部へ至る部位に設けられる整流構造部と、
を備え、
前記整流構造部は、
前記標準流路を通る遊技球よりも高い位置で、標準流路の流入部下流から整流部上流である前後方向の流路と、右側方へ曲がった整流部である左右方向の流路の両方に隣接し、前後方向の流路隣接部に向って下り傾斜する棚状の溢れ球受入面と、
前記溢れ球受入面に受け入れられた遊技球が、溢れ球受入面の傾斜上端を超えて移動することがないように規制する突出段状の規制部と、
前記溢れ球受入面の左右方向の流路隣接部における傾斜上端に設けられ、当該傾斜上端から遊技球が標準流路の整流部へ流入することを阻止すると共に、遊技球が傾斜に沿った振り子運動ができるようにガイドする阻止部と、
を有することを特徴とする遊技球回収装置。
【発明の詳細な説明】
【技術分野】
【０００１】
本発明は、遊技場の島設備に設置された遊技機の背面側から排出される遊技球を受け入れて遊技球検出器へ導き、該遊技球検出器を経た遊技球を島設備内の遊技球回収樋へ導出する遊技球回収装置に関する。
【背景技術】
【０００２】
遊技機の裏面上部に設けられ球払出装置に対して球を供給する球タンクには、その供給される球の個数を計数する計数器が設けられているが、この計数器には球を１個ずつ流す必要があることから、その球流路手前には、計数器の導入部に対して球を１個ずつ流し込むための整流機構が設けられている。
【０００３】
この整流機構を設けない場合には、球タンクに貯留されている多量の球が１個ずつしか通過できない計数器に対して一気に流れ込もうとするため、その導入部付近で球詰まりが発生することになる。
【０００４】
このような整流機構として、上部を回動自在に吊設された球ならし部材（例えば、特許文献１を参照）や、球の流下方向に向けて流路を繰り返し波状に屈曲させたパチンコ玉整列用レール（例えば、特許文献２を参照）などがある。
【０００５】
【特許文献１】特許第３００４５０３号公報
【特許文献２】特開２００６−１４９５６８号公報
【０００６】
ところで、遊技機が設置された島設備の遊技機裏面下方には、遊技機から排出される球を受けて、その個数を計数した後、島設備内の回収樋へ導出する球回収装置が設けられているが、その計数器に対しても球詰まりを回避するべく球を１個ずつ流す必要がある。通常、遊技機からは球が１個ずつ排出されるため、この球回収装置には上述した整列機構など不要とも思われるのだが、例えば遊技機の盤面で球詰まりが発生し、盤面を叩くなどして、その球詰まりを解消した場合には、多量の球が一気に球回収装置へ排出されることになり、また、遊技機のメンテナンス時などに行われる球抜き作業は、かつては、遊技機を手前に開いた状態にして、その球排出口の付近に回収用箱を置いた状態で行う必要があったので非常に煩雑であったが、近年では、遊技機の位置は営業時そのままで、その排出口から排出される球を球回収装置で受けることで、球抜き作業を容易としているため、この球抜き作業時においても、多量の球が一気に球回収装置へ排出されることになる。したがって、このような事態に備えて球回収装置にも上述した整列機構を備える必要がある。
【発明の開示】
【発明が解決しようとする課題】
【０００７】
しかしながら、特許文献１に記載された球ならし部材は、部材点数が多く、構造も複雑になることからコスト高となり採用しがたい。一方で、特許文献２に記載されたパチンコ玉整列用レールは、球を段階的に整流していく構造であるためにある程度の距離が必要であり、そのままであると広大な設置スペースが必要となるため採用しがたい。
【０００８】
本願発明は、このような課題を鑑みてなされたものであり、その目的とするところは、簡単且つコンパクトな構造の整列機構を備えた遊技球回収装置を提供することにある。
【課題を解決するための手段】
【０００９】
上記の課題を解決するために、請求項１に係る発明は、遊技場の島設備に設置された遊技機の背面側から排出される遊技球を受け入れて遊技球検出器へ導き、該遊技球検出器を経た遊技球を島設備内の遊技球回収樋へ導出する遊技球回収装置であって、前記遊技機の背面側から排出される遊技球を受け入れる球受け空部と、前記球受け空部に受け入れられた遊技球を遊技球検出器へ導く標準的な球誘導路であって、上流側で前後方向の流路である流入部、該流入部に連なり流下方向を右側方へ曲げつつ球の流れを整える整流部と、該整流部に連なり最下流端が遊技球検出器に至る流出部と、からなる標準流路と、前記球受け空部の標準流路における流入部の近傍に形成され、前記球受け空部へ多量の遊技球を受け入れたときに前記標準流路の流入部に受け入れられなかった遊技球が溢れ出ることが可能な開口であり、球受け空部から標準流路へ導入されずに溢れ出た遊技球を流入部よりも下流側の整流部へショートカットして流入させる溢れ球流下許容開口部と、前記溢れ球流下許容開口部から標準流路の整流部へ至る部位に設けられる整流構造部と、を備え、前記整流構造部は、前記標準流路を通る遊技球よりも高い位置で、標準流路の流入部下流から整流部上流である前後方向の流路と、右側方へ曲がった整流部である左右方向の流路の両方に隣接し、前後方向の流路隣接部に向って下り傾斜する棚状の溢れ球受入面と、前記溢れ球受入面に受け入れられた遊技球が、溢れ球受入面の傾斜上端を超えて移動することがないように規制する突出段状の規制部と、前記溢れ球受入面の左右方向の流路隣接部における傾斜上端に設けられ、当該傾斜上端から遊技球が標準流路の整流部へ流入することを阻止すると共に、遊技球が傾斜に沿った振り子運動ができるようにガイドする阻止部と、を有することを特徴とする。
【発明の効果】
【００１０】
請求項１に係る遊技球回収装置によれば、遊技場の島設備に設置された遊技機の背面側から排出される遊技球を受け入れて遊技球検出器へ導き、該遊技球検出器を経た遊技球を島設備内の遊技球回収樋へ導出する遊技球回収装置であって、前記遊技機の背面側から排出される遊技球を受け入れる球受け空部と、前記球受け空部に受け入れられた遊技球を遊技球検出器へ導く標準的な球誘導路であって、上流側で前後方向の流路である流入部、該流入部に連なり流下方向を右側方へ曲げつつ球の流れを整える整流部と、該整流部に連なり最下流端が遊技球検出器に至る流出部と、からなる標準流路と、前記球受け空部の標準流路における流入部の近傍に形成され、前記球受け空部へ多量の遊技球を受け入れたときに前記標準流路の流入部に受け入れられなかった遊技球が溢れ出ることが可能な開口であり、球受け空部から標準流路へ導入されずに溢れ出た遊技球を流入部よりも下流側の整流部へショートカットして流入させる溢れ球流下許容開口部と、前記溢れ球流下許容開口部から標準流路の整流部へ至る部位に設けられる整流構造部と、を備え、前記整流構造部は、前記標準流路を通る遊技球よりも高い位置で、標準流路の流入部下流から整流部上流である前後方向の流路と、右側方へ曲がった整流部である左右方向の流路の両方に隣接し、前後方向の流路隣接部に向って下り傾斜する棚状の溢れ球受入面と、前記溢れ球受入面に受け入れられた遊技球が、溢れ球受入面の傾斜上端を超えて移動することがないように規制する突出段状の規制部と、前記溢れ球受入面の左右方向の流路隣接部における傾斜上端に設けられ、当該傾斜上端から遊技球が標準流路の整流部へ流入することを阻止すると共に、遊技球が傾斜に沿った振り子運動ができるようにガイドする阻止部と、を有するので、整流構造部の溢れ球受入面に受け入れられた遊技球の内、少なくとも規制部と阻止部とによって標準流路の整流部への流入が阻まれている遊技球が溢れ球受入面の傾斜に沿った振り子運動を行うことで、溢れ球受入面から標準流路の整流部へ流れ込む球の流量を適量に制限することができる。すなわち、このような事前の流量制限を行うことにより、溢れ球流下許容開口部から無秩序に標準流路へ流入した遊技球によって球詰まりが生ずることを防ぎ、比較的短い整流部でも適切な整流効果が得られる。
【発明を実施するための最良の形態】
【００１１】
次に、本発明に係る遊技球回収装置の最良の実施形態を、添付図面に基づいて詳細に説明する。図１は、遊技店における島設備の概略を示すもので、複数のパチンコ遊技機を横方向（図１においては紙面に直交する方向）に列設した遊技機列を背中合わせに２列設け、各遊技機に対応させて遊技球回収装置１を設けてある。なお、以下の説明においては、便宜上、遊技者に対面する向き（遊技機２の前側）を前方向として、前後左右の基準とする。
【００１２】
遊技球回収装置１は、遊技機２Ａ，２Ｂから排出された遊技球（遊技を終えたアウト球等）を受け入れて、遊技球回収樋３へ導出するものであり、遊技機２Ａ，２Ｂの背面側（島の内方に臨む側）から排出される遊技球を受け入れる球受けボックス１０と、球受けボックス１０を前後方向（遊技機の前後に対応する縦方向）へ移動可能に支持すると共に、球受けボックス１０よりも後方且つ下方に遊技球検出器としてのセンサユニット３０を保持する球受けボックス支持体２０と、球受けボックス支持体２０を支持する支持ピラー４０と、遊技機２Ａ，２Ｂが設置される設置台４に固定され、球受けボックス支持体２０を支持する支持ピラー４０を左右方向（遊技機の列設方向であり、遊技球回収樋３の配設された横方向）へスライド可能に支持する固定ベース５０と、を備える。
【００１３】
固定ベース５０は、例えば、遊技機裏面側の略中央位置で、且つ、後縁部が設置台４の島内端縁（回収樋３の開口縁）に沿った状態で、ビス止め等により固定する。そして、固定ベース５０の上面側と、支持ピラー４０の下部には、左右方向へ移動可能な嵌合構造を設けてあり、遊技機２Ａ，２Ｂにおける遊技球の排出位置に応じて、支持ピラー４０を横方向に移動させれば、球受けボックス１０および球受けボックス支持体２０の左右方向の位置を適宜に調整できる。
【００１４】
なお、固定ベース５０と支持ピラー４０に設ける左右方向へ移動可能な嵌合構造は特に限定されるものではないが、例えば、固定ベース５０の上面に、左右方向の一直線上に凹部と凸部が交互に連続する波状レール部を設け、支持ピラー４０の下部であって上記波状レール部に対向する位置には、この波状レール部の凹部と嵌合し得る嵌合凸部が前後方向へ揺動可能なように弾性支持する波状レール嵌合部を設け、固定ベース５０に対して支持ピラー４０を左右方向へ移動する際には、波状レール嵌合部に少なくとも１つ以上設けた嵌合凸部が、波状レール部の凸部を一つ一つ乗り越えながら次々と波状レールの凹部と嵌合してゆく構造とすることで、クリック感を伴うスライド移動を実現できる。
【００１５】
上記のようにして、設置台４へ固定ベース５０を固定した遊技球回収装置１においては、球受けボックス支持体２０の後方側に保持したセンサユニット３０が概ね遊技球回収樋３の開口上方に位置することで、センサユニット３０の球出口３１より排出された遊技球は設置台４に当たることなく、そのまま遊技球回収樋３の底部へ落下してゆく。なお、遊技球検出器として機能するセンサユニット３０は、所定数（例えば、４個）の遊技球が通過することで遊技球検出信号を出力するものでも良いし、遊技球を１個検出する毎に遊技球検出信号を出力するものでも構わない。
【００１６】
ここで、遊技機２Ａのように遊技球の排出位置が比較的後方位置であれば、球受けボックス１０が球受けボックス支持体２０に対して標準状態（例えば、図２を参照）に支持されたままで、遊技機２Ａから排出された遊技球を上面開放状の球受け空部１１の略中央で受け入れることが出来る。しかしながら、遊技機２Ｂのように遊技球の排出位置が比較的前方位置である場合に、標準状態の球受けボックス１０で排出球を受けると、球受け空部１１の前方寄りに偏ってしまう。そこで、球受けボックス１０を球受けボックス支持体２０に対して前方へ移動させた調整状態（例えば、図３を参照）に変換すれば、遊技機２Ｂから排出された遊技球を球受け空部１１の略中央で受け入れるように調整できる。
【００１７】
さらに、本実施形態に係る遊技球回収装置１においては、球受けボックス支持体２０の下面側に適宜離隔させて前後方向に設けた一対の係止ガイド溝２０ａ，２０ａに対して、支持ピラー４０の上部に設けた複数の抜け止め係止片４０ａの上端係止部を各々係止することにより、球受けボックス支持体２０が支持ピラー４０から上方へ外れることの無いよう抜け止めし、前後方向へ所定量移動する毎にクリック感を伴うスライド移動構造を球受けボックス支持体２０下面と支持ピラー４０上部に設けた（図４を参照）。これにより、球受けボックス支持体２０に対する球受けボックス１０の前後移動による位置調整に加えて、支持ピラー４０に対する球受けボックス支持体２０の前後移動による位置調整が可能となり、球受けボックス１０の前後方向への位置調整を高い自由度で行うことができる。
【００１８】
なお、球受けボックス支持体２０と支持ピラー４０に設ける前後方向へのスライド移動構造は特に限定されるものではないが、例えば、球受けボックス支持体２０の下面に、前後方向の一直線上に凹部と凸部が交互に連続する波状レール部を設け、支持ピラー４０の上部であって上記波状レール部に対向する位置には、この波状レール部の凹部と嵌合し得る嵌合凸部が左右方向へ揺動可能なように弾性支持する波状レール嵌合部を設け、支持ピラー４０に対して球受けボックス支持体２０を前後方向へ移動する際には、波状レール嵌合部に少なくとも１つ以上設けた嵌合凸部が、波状レール部の凸部を一つ一つ乗り越えながら次々と波状レールの凹部と嵌合してゆく構造とすることで、クリック感を伴うスライド移動を実現できる。また、支持ピラー４０に対する球受けボックス支持体２０の前後移動可能範囲において、抜け止め係止片４０ａが障害とならないように、係止ガイド溝２０ａ，２０ａの開設範囲を設定してある。
【００１９】
また、支持ピラー４０は、上部ピラー４１と下部ピラー４２の分割構造とし、上部ピラー４１に対する下部ピラー４２の下方延出量を変えることで、支持ピラー４０を上下方向に伸縮させることができる。この支持ピラー４０の伸縮機能により、遊技機２の背面側における球排出位置の高低に応じて、球受けボックス１０の高さ調整を適宜に行うことができる。
【００２０】
次に、前述した球受けボックス支持体２０に対して球受けボックス１０を前後方向へ移動可能にするための構造を図５に基づいて説明する。
【００２１】
球受けボックス１０の下面左側より右側にかけて、前後方向の第１リブ１２１，第２リブ１２２，第３リブ１２３，第４リブ１２４，第５リブ１２５，第６リブ１２６，第７リブ１２７を形成し、第１リブ１２１の下部左側方には略水平の第１抜け止め片１２１ａを、第７リブ１２７の下部左側方には第２抜け止め片１２７ａを、第１リブ１２１と第２リブ１２２との間には下方に突出する係合突起１３１ａが上下に揺動し得る有弾性の第１係合部１３１を、第５リブ１２５と第６リブ１２６との間には下方に突出する係合突起１３２ａが上下に揺動し得る有弾性の第２係合部１３２を、第３リブ１２３と第４リブ１２４との間には下方に突出する係止突起１３３ａが上下に揺動し得る有弾性の係止部１３３を、第２リブ１２２と第３リブ１２３の間には下方に延出して側方へ屈曲する断面略Ｌ字状の抜け止め部材１３４を各々設ける。
【００２２】
一方、球受けボックス支持体２０の上面側には、上記第１抜け止め片１２１ａが上方へ移動して抜けないように規制する断面略Ｌ字状の第１規制部材２１ａと、上記第２抜け止め片１２７ａが上方へ移動して抜けないように規制する断面略Ｌ字状の第２規制部材２１ｂと、上記抜け止め部材１３４を上方から受け入れ得る幅の抜け止め部材挿通孔２１ｃ１および該抜け止め部材挿通孔２１ｃ１の後方側に設けられ抜け止め部材１３４が上方へ移動して抜けないようにする抜け止め部材受け部２１ｃ２を設ける。また、上記第１係合部１３１に対応する位置には第１係合受け部２２１を、上記第２係合部１３２に対応する位置には第２係合受け部２２２を、上記係止部１３３に対応する位置には係止受け部２２３を設ける。これら第１，第２係合受け部２２１，２２２および係止受け部２２３は、何れもの上方に突出した高台状の平坦な上面を有し、第１係合受け部２２１の上面には後方より前方に向って第１係合孔２２１ａ，第２係合孔２２１ｂ，第３係合孔２２１ｃを、第２係合受け部２２２の上面には後方より前方に向って第１係合孔２２２ａ，第２係合孔２２２ｂ，第３係合孔２２２ｃを、係止受け部２２３の上面には前後方向に長い係止孔２２３ａを各々設けてある。
【００２３】
上記のように構成した球受けボックス支持体２０へ球受けボックス１０を取り付けるとき、球受けボックス１０下面の抜け止め部材１３４が球受けボックス支持体２０の抜け止め部材挿通孔２１ｃ１へ入るように上方から落とし込むと、球受けボックス１０の第１，第２抜け止め片１２１ａ，１２７ａは球受けボックス支持体２０の第１，第２規制部材２１ａ，２１ｂの前側に位置するので、そのまま球受けボックス１０を後方へ移動させると、略Ｌ字状に屈曲する抜け止め部材１３４は抜け止め部材受け部２１ｃ２の下方へ導入されて上方に抜けなくなり、また、球受けボックス１０の第１，第２抜け止め片１２１ａ，１２７ａは球受けボックス支持体２０の第１，第２規制部材２１ａ，２１ｂによって上方に抜けなくなる。
【００２４】
球受けボックス１０を球受けボックス支持体２０の後方へ移動させるとき、第１係合部１３１の係合突起１３１ａが第１係合受け部２２１の上面へ、第２係合部１３２の係合突起１３２ａが第２係合受け部２２２の上面へ、係止部１３３の係止突起１３３ａが係止受け部２２３の上面へ各々乗り上げ、更に後方へ移動させると、第１係合部１３１の係合突起１３１ａが第１係合受け部２２１の第３係合孔２２１ｃに、第２係合部１３２の係合突起１３２ａが第２係合受け部２２１の第３係合孔２２２ｃに、係止部１３３の係止突起１３３ａが係止受け部２２３の係止孔２２３ａに嵌まり込む。
【００２５】
ここで、第１係合部１３１の係合突起１３１ａおよび第２係合部１３２の係合突起１３２ａは、前後両方向に傾斜する三角形であり、係止部１３３の係止突起１３３ａは後方に傾斜するが前方側は垂直な略直角三角形である。これにより、球受けボックス１０を球受けボックス支持体２０へ取り付けるために後方へ移動させるとき、第１，第２係合部１３１，１３２の各係合突起１３１ａ，１３２ａおよび係止部１３３の係止突起１３３ａが障害となることはないが、一旦、係止部１３３の係止突起１３３ａが係止受け部２２３の係止孔２２３ａに嵌まった後は、係止受け部２２３における係止孔２２３ａの前側端縁に係止部１３３の係止突起１３３ａが押し当たり、それよりも前側へ球受けボックス１０が移動することを規制する。
【００２６】
更に球受けボックス１０を後方へ移動させてゆくと、第１，第２係合部１３１，１３２の各係合突起１３１ａ，１３２ａが第１，第２係合受け部２２１，２２２の第２係合孔２２１ｂ，２２２ｂに嵌まり込み、安定した状態となる。更に球受けボックス１０を後方へ移動させてゆくと、第１，第２係合部１３１，１３２の各係合突起１３１ａ，１３２ａが第１，第２係合受け部２２１，２２２の第１係合孔２２１ａ，２２２ａに嵌まり込み、安定した状態になると共に、第１係合受け部２２１の前方端２２１ｄが球受けボックス１０の前壁部１０ａの下部後面側に設けた第１当接部１０ａ１に、第２係合受け部２２２の前方端２２２ｄが球受けボックス１０の前壁部１０ａの下部後面側に設けた第２当接部１０ａ２に各々当接して、それよりも後方へ球受けボックス１０が移動することはない。
【００２７】
なお、球受けボックス１０の前後移動を円滑に行えるように、球受けボックス支持体２０における第１係合受け部２２１の右側面を周接面２２１ｅとして球受けボックス１０の第２リブ１２２の左側面下部を摺接させ、球受けボックス支持体２０における第２係合受け部２２２の左側面を周接面２２２ｅとして球受けボックス１０の第５リブ１２５の右側面下部を摺接させた。これにより、球受けボックス１０の第２リブ１２２と第５リブ１２５がそれぞれ球受けボックス支持体２０の周接面２２１ｅと周接面２２２ｅに沿ってスムーズに前後動するので、少ない摺動抵抗で球受けボックス１０を前後に移動させることができる。
【００２８】
上記のように球受けボックス１０を球受けボックス保持体２０に取り付けた遊技球回収装置１において、例えば、球受けボックス支持体２０における第１，第２係合受け部２２１，２２２の最も後方位置にある第１係合孔２２１ａ，２２２ａに、球受けボックス１０における第１，第２係合部１３１，１３２の各係合突起１３１ａ，１３２ａが嵌入した状態を標準状態とし、クリック感がするまで球受けボックス１０を前方へ押してゆくと、球受けボックス１０における第１，第２係合部１３１，１３２の各係合突起１３１ａ，１３２ａが球受けボックス支持体２０における第１，第２係合受け部２２１，２２２の第２係合孔２２１ｂ，２２２ｂに嵌入した第１調整状態（球受けボックス１０を少し前方へ移動させて球受け位置を調整した状態）となり、更に、クリック感がするまで球受けボックス１０を前方へ押してゆくと、球受けボックス１０における第１，第２係合部１３１，１３２の各係合突起１３１ａ，１３２ａが球受けボックス支持体２０における第１，第２係合受け部２２１，２２２の第３係合孔２２１ｃ，２２２ｃに嵌入した第２調整状態（球受けボックス１０を最も前方へ移動させて球受け位置を調整した状態）となる。
【００２９】
このように、本実施形態の遊技球回収装置１においては、球受けボックス支持体２０に対して球受けボックス１０を２段階で前後方向にスライド移動させ、安定した標準状態の他にも、第１，第２調整位置に保持することができる。無論、３種類以上の調整位置に保持可能な構造としても良いし、無段階で球受けボックス１０を移動させ、別途設けたストッパ機構によって球受けボックス支持体２０へ固定するようにしても構わない。
【００３０】
なお、遊技球回収装置１が第２調整状態にあるとき、球受けボックス１０における係止部１３３の係止突起１３３ａを上方へ押し上げて、球受けボックス支持体２０における係止受け部２３３の係止孔２３３ａから外すと、球受けボックス１０を更に後方へ移動させることができ、球受けボックス支持体２０から取り外すことができる。このように、簡単な操作で球受けボックス１０を球受けボックス支持体２０から着脱できる構成とすれば、球受けボックス支持体２０と球受けボックス１０を分離させて、別々に清掃することができるので、清掃作業の効率が良い。
【００３１】
上述した球受けボックス１０は、前壁部１０ａと後壁部１０ｂと第１側壁部１０ｃ（例えば、右側の壁部）と第２側壁部１０ｄ（例えば、左側の壁部）に囲まれた領域内の底壁部１０ｅの上方空間が球受け空部１１として機能し、球受け空部１１に受け入れた遊技球は、底壁部１０ｅの上面に設けた有弾性パネル等よりなる緩衝材１４上に落ち、緩やかに傾斜する底壁部１０ｅの下流側（例えば、第１側壁部１０ｄに向う左側）に段差部１０ｆを介して設けた流路部材１５へ向けて遊技球を誘導する。
【００３２】
上記流路部材１５の上面は、前方から後方に向って下り傾斜する平板状の球流下面となり、その左側（球受け空部１１と連通しない側）に位置する第２側壁部１０ｄと右側（球受け空部１１と連通する側）に位置する段差部１０ｆによって遊技球の通過可能な球流路１６が形成される。すなわち、この球流路１６は、球受け空部１１より流入した遊技球を下流である後向きに流下させ、球受けボックス支持体２０の球誘導路２３（例えば、上流側で前後方向の流路である流入部２３１、これに連なり流下方向を右側方へ曲げつつ球の流れを整える整流部２３２、これに連なり最下流端がセンサユニット３０の球流入口に至る下流側の流出部２３３より構成）へ導くのである。また、球誘導路２３は、球受けボックス１０よりも後方且つ下方に位置するように球受けボックス支持体２０に保持されたセンサユニット３０へ、球受けボックス１０の球流路１６より受け入れた遊技球を効率良く導く流路構造である。
【００３３】
なお、球受けボックス１０における後壁部１０ｂと第２側壁部１０ｄの一部を切り欠いて球導出開口１０ｇを設けたので（例えば、図５を参照）、流路部材１５の左側に第２側壁部１０ｄが位置しない領域が生ずることとなるが、球受けボックス１０が球受けボックス支持体２０に支持されているときには、球受けボックス支持体２０の上流外側壁２０ｂが第２側壁部１０ｄの外側に位置するので、この上流外側壁２０ｂが球流路１６の外側壁として機能し、流路部材１５の流下端１５ａまで遊技球の流下が妨げられることはない。よって、球受けボックス１０の球受け空部１１から受け入れた遊技球は、流路部材１５上を下流（後方）へ流下し、流下端１５ａ（球出口）を抜けて、球受けボックス支持体２０の球誘導路２３へ導かれるのである。
【００３４】
また、球受け空部１１より受け入れた遊技球を球流路１６へ導入するに際して、例えば、球流路１６の上流側（前側）のみに遊技球が導入されるように導入口を形成し、流路部材１５上に導入された遊技球が下流（後方）に向けて勢い良く流下するようにして、流路部材１５の流下端１５ａから球誘導路２３へ至るまでに球止まりなどが生じないように構成しても良いが、本実施形態の遊技球回収装置１においては、球流路１６から球誘導路２３を経る標準流路における、球受け空部１１からの遊技球が普通に流下してくる通常流入部の下流近傍であり、具体的には、球受けボックス１０の球流路１６の下流近傍に、球受けボックス１０の球受け空部１１から流路部材１５へ遊技球が流下できないほど溢れたときに、流路部材１５よりも下流となる球受けボックス支持体２０の球誘導路２３や整流構造部２４に向けて遊技球を流下させることが可能な溢れ球流下許容開口部１７を、球流路１６から球誘導路２３を経る標準流路の近傍に設け、遊技機の球抜き操作などで短時間に大量の遊技球が排出された場合には、大量の遊技球を速やかに球受けボックス１０から球受けボックス支持体２０へ導入し、迅速な遊技球の処理が行えるようにした。
【００３５】
但し、球受けボックス１０に受け入れた遊技球が球誘導路２３の整流部２３２によって整流されることなく流出部２３３へ直接流入してしまうと、センサユニット３０への円滑な球の流れを阻害してしまうことになるので、底壁部１０ｅの後方側適所で上方に突出する球流下規制部１８を設け、溢れ球流下許容開口部１７から流下する遊技球は整流部２３２もしくは整流構造部２４へ至るように流下を規制し、また、整流構造部２４の機能（後に詳述）によって、遊技球が球誘導路２３の整流部２３２を経ることなく流出部２３３へ至って球詰まり等の不具合が生ずることを防止すると共に、遊技球を効率良く球誘導路２３の整流部２３２へ送り出すことができる。
【００３６】
上記のようにして球受けボックス１０から導入された遊技球をセンサユニット３０へ誘導する球誘導路２３は、主として、流路底部となる底壁部材２５と、外側壁となる上流外側壁２０ｂ，整流外側壁２０ｃ，下流外側壁２０ｄと、内側壁として機能する整流構造部２４の側壁部２４１および側壁部２４１の下流側に連なる下流内壁２０ｅとからなる。なお、整流構造部２４の側壁部２４１の上流部は、球誘導路２３における流入部２３１の内側壁として機能する前後方向の平坦な側壁であるが、これに連なる下流部は右側に曲がる整流部２３２の内側壁として機能すると共に、整流外側壁２０ｃの凹凸（例えば、側方に屈曲する部位から下流に向って連続的に設けた第１膨出部２０ｃ１，第２膨出部２０ｃ２，第３膨出部２０ｃ３）に対応する突出部（例えば、第１膨出部２０ｃ１に対応する第１突出部２４１ａ、第２膨出部２０ｃ２に対応する第２突出部２４１ｂ、第３膨出部２０ｃ３に対応する第３突出部２４１ｃ）を備える。これにより、整流部２３２には、第１整流領域２３２ａ，第２整流領域２３２ｂ，第３整流領域２３２ｃが形成され、これら第１〜第３整流領域２３２ａ〜２３２ｃによって遊技球を蛇行流下させると、上に重なって乗り上げている遊技球は秩序正しく一段に整列され、流出部２３３へ流下して行くのである。
【００３７】
球誘導路２３の流入部２３１及びその上流側における底壁部材２５には、球受けボックス１０が最も後方に位置する標準状態において（図７（ａ）を参照）、流路部材１５の流下端１５ａよりも下流側に現れている誘導領域２５１ａと、流路部材１５の下方に隠れている誘導調整領域２５１ｂとを形成してある。
【００３８】
このように、遊技球回収装置１が標準状態にあるとき、球受けボックス１０の球流路１６から導入された遊技球は、その流下方向と同じ向きに設定された誘導領域２５１ａ上を転動することとなるので、球受けボックス１０の球流路１６から球受けボックス支持体２０の球誘導路２３へ導入されたときに停滞して、球詰まりを起こす可能性は殆ど無く、球受けボックス１０から球受けボックス支持体２０への遊技球導入を円滑に行うことができる。
【００３９】
一方、遊技球回収装置１を調整状態（例えば、球受けボックス１０を最も前方へ移動させた第２調整状態で、図７（ｂ）を参照）に変換すると、球受けボックス１０における流路部材１５の流下端１５ａ（球流路１６の球出口）が誘導領域２５１ａよりも前方へ移動してゆくこととなるが、その下方には誘導調整領域２５１ｂが現れるので、球受けボックス１０の球流路１６から導入された遊技球は、その流下方向と同じ向きに設定された調整誘導領域２５１ｂ上を経て、誘導領域２５１ａ上を転動することとなるので、遊技球回収装置１が標準状態にあるときと同様、球受けボックス１０から球受けボックス支持体２０への遊技球導入を円滑に行うことができる。また、標準状態から調整状態に変換したとき、球受けボックス１０の溢れ球流下許容開口部１７から球受けボックス支持体２０の球誘導路２３や整流構造部２４に向けて遊技球を流下させる状態も変化しないので、遊技球回収装置１を調整状態に変換して使用しているときに、球受けボックス１０の球受け空部１１から流路部材１５へ遊技球が流下できないほど大量の遊技球を受け入れても、大量の遊技球を速やかに球受けボックス１０から球受けボックス支持体２０へ導入し、迅速な遊技球の処理が行える。
【００４０】
このように、本実施形態に係る遊技球回収装置１は、球受けボックス支持体２０の球誘導路２３を、球受けボックス１０の球流路１６の下方に、当該球流路１６の球出口（遊技球の導出位置）の変化領域の全域（標準位置から第１調整状態を経て第２調整状態に至る誘導調整領域２５１ｂ）に亘って重ねて設けることで、球受けボックス１０の前後方向への移動に伴う球流路１６における遊技球の導出位置の変位に応じて、球受けボックス支持体２０の球誘導路２３における遊技球の導入位置を調整することが可能な導入位置調整構造を実現したので、標準状態と調整状態との変換動作によって球誘導路２３が途切れることはなく、球受けボックス１０からの遊技球を円滑に受け入れてセンサユニット３０へ誘導することが出来る。
【００４１】
また、本実施形態に係る遊技球回収装置１においては、遊技機から排出された遊技球を受け入れる球受け空部１１を備える球受けボックス１０自体の位置を移動させることによって、遊技機からの遊技球排出位置に応じた位置調整を行えるので、球受け空部１１の略中央で遊技球を安定して受け入れ得るように球受けボックス１０の位置調整を容易に行える。例えば、球受けボックスにおける球受け空部を前後方向へ拡張あるいは縮小するような構成とした場合には、拡張あるいは縮小された底部形状に合わせて緩衝材の形状を調整しないと、遊技機から落下してくる遊技球の円滑な受入が困難になるし、形状変化した球受け空部から遊技球検出器への遊技球誘導ルートの変化も考慮しなければならない。これに対して、本実施形態に係る遊技球回収装置１では、標準状態あるいは調整状態に状態変換を行っても、球受けボックス１０の球受け空部１１は変化せず、従って、球受け空部１１から球流路１６への遊技球流入形態は変化しないし、球受けボックス１０の球流路１６から球受けボックス支持体２０の球誘導路２３への遊技球導入に際しても、遊技球の流下方向（前後方向）が保持されるので、球受けボックス１０から球受けボックス支持体２０への球導入を円滑に行うことができる。
【００４２】
さらに、本実施形態に係る遊技球回収装置１においては、球受けボックス１０の球流路１６および球受けボックス支持体２０の球誘導路２３の上部は開放状とし、球詰まり等の異常が生じたときには、上方から目視による確認が容易になるようにした。また、球流路１６および球誘導路２３の上部開口から指や工具を差し入れて、球詰まりを解消することも出来る。更に、球流路１６および球誘導路２３の上部開口から綿棒のような清掃具を挿入して清掃作業を行うこともできる。なお、球受けボックス支持体２０の球誘導路２３と外部とを連通させる開口部は、上部に形成せずに、外側面や下面に形成しても良い。斯くする場合は、遊技球の球径よりも短い幅のスリット状開口とすることで、遊技球が流路から脱落して円滑な流下が妨げられるような事態を防止できる。
【００４３】
上記のようにして、球受けボックス１０の球流路１６より球受けボックス支持体２０の球誘導路２３へ導入された遊技球は、上流側の流入部２３１から整流部２３２を経て流出部２３３へ至り、この流出部２３３の流下端がセンサユニット３０の球入口に連通しており、球誘導路２３から導入された遊技球はセンサユニット３０内で検出された後、球出口３１より排出され、遊技球回収樋３へ落下してゆく。
【００４４】
なお、普通に稼働している遊技機から排出される遊技球を遊技球回収装置１で受け入れているときであれば、球受けボックス１０の球受け空部１４に落下した遊技球は球流路１６から球受けボックス支持体２０の球誘導路２３へ整列して流れてくるので、特別な球整流機能は必要ないが、球抜きなどで短時間に大量の遊技球が遊技機より排出されたとき、球流路１６および球誘導路２３では、球が団子状に折り重なって、球誘導路２３の底面である底壁部材２５上を流下する遊技球の上段に遊技球が乗り上げた状態で溢れることになり、球詰まり等の不具合が生じる可能性がある。このようなときに、整流構造部２４の機能により、球詰まりを生じさせない必要最小限の整流効果を得ることができ、球受けボックス支持体２０の球誘導路２３によって、更に高い整流効果を得るのである。
【００４５】
整流段部２４は、溢れ球流下許容開口部１７より流入した遊技球が通過できる緩やかな傾斜面（例えば、球誘導路２３における流入部２３２の上流側に向って約３度の下り傾斜）の凹段部２４２と、この凹段部２４２の傾斜上端で略垂直に立ち上がる規制段差部２４３と、この規制段差部２４３と共に、遊技球が整流部２３２（例えば、第２整流領域２３２ｂ）へ落ちることを阻止するように側壁部２４１よりも突出した阻止壁２４４を備える（図８および図９を参照）。
【００４６】
なお、段差部２４２や阻止壁２４４の高さは特に限定されるものではなく、球導出開口１０ｇを抜けて凹段部２４２上に流入した遊技球が容易に乗り越えることのできない高さがあれば十分である。また、阻止壁２４４の幅は、段差部２４２および阻止壁２４４によって球誘導路２３への流入を阻止された少なくとも１個の遊技球が凹段部２４２の傾斜に沿って下降したり他の遊技球に当たって上昇したりする往復運動（以下、振り子運動という）を行うときのガイドとなる適宜な長さを確保しておくことが望ましい。
【００４７】
以下、整流構造部２４による整流機能を図１０に基づき説明する。
【００４８】
球詰まり解消時や球抜き時には、遊技機から球受けボックス１０に対して多量の球が排出されるため、整流構造部２４の凹段部２４２上にも球が流れ込む（図１０（ａ１），（ａ２）を参照）。しかし、その流量が凹段部２４２一杯に貯まるほどでなければ、球流路１６から球誘導路２３を経る標準流路により遊技球が流れて行くので、球止まりや球詰まりが生ずることなく、円滑にセンサユニット４０へ誘導できる。
【００４９】
更に多くの遊技球が球受けボックス１０の球受け空部１４に貯まってくると、整流構造部２４の凹段部２４２一杯に遊技球があふれることとなるが、規制段部２４３と阻止壁２４４に阻まれて球誘導路２３の整流部２３２へ流れ込めないように停留される遊技球（以下、これを球Ａという）が生じ、球Ａの後続の遊技球も同様に堰き止められるので、整流部２３２を超えて流出部２３３へ流入してしまうような事はない（図１０（ｂ１），（ｂ２）を参照）。
【００５０】
また、球Ａと横方向（凹段部２４２の傾斜方向）に列んで、凹段部２４２の整流部２３２側（例えば、第１，第２整流領域２３２ａ，２３２ｂに臨む位置）に停留している遊技球（以下、球Ｂという）は、底壁部材２５上を流下する遊技球（以下、球Ｃという）の上に乗り上げている遊技球（以下、球Ｄという）に阻害されて球誘導路２３へ流れ込むことができない。また、球Ａと前後方向に列んで、規制段部２４３に流下を規制されている球（以下、球Ｅという）は、球Ｂの前側（球が流入してくる球受け空部１４側）に停留している遊技球（以下、球Ｆという）が凹段部２４２の傾斜面に沿って球誘導路２３側へ移動することを阻む。また、球Ｆの前側に停留している遊技球（以下、球Ｇという）には、更に前側に貯まっている遊技球の圧力がかかる。このようにして、整流構造部２４の凹段部２４２上の球Ｂには、後続の球Ｆ，球Ｇ等からの圧力が作用し、さらに、これに整流構造部２４の凹段部２４２の傾斜面に沿って球誘導路２３における流入部２３２の上流側に向う力と、底壁部材２５上を流下する球Ｄからの整流部２３２の下流側に向かって流れる力が加わって、結果、球Ｂは、整流部２３２の中流辺りに流入する。
【００５１】
そして、底壁部材２５上を流下している球Ｃが第１〜第３整流領域２３２ａ〜２３２ｃを経て下流へと移動して行くとき、球Ｃに乗り上げていた球Ｄが底壁部材２５上を流下するように均されて行き、球Ｄが均された後にできる空き領域へ球Ｂが流れ込み、球Ｂが移動した空き領域に球Ｆが、球Ｆが移動した空き領域に球Ｇが移動してくる（図１０（ｃ１），（ｃ２）を参照）。このとき、球Ａは、球Ｂおよび後続の球Ｆの移動に伴って、その都度、凹段部２４２の傾斜面に沿って球誘導路２３側へ移動しようとするが、後続の球Ｆおよび球Ｇによって阻まれ、結果として、球Ｂ〜球Ｇの球面に当接して振り子運動を行い、整流部２３２へ流れ込む球の流量を適量（図に示す例では、遊技球２個）に制限する。この事前の流量制限が行われることで、整流部２３２における整流領域（例えば、第１〜第３整流領域２３２ａ〜２３２ｃ）の距離が短くても、適切な整流（１段への球均し）が行われることになる。なお、この球Ａの存在がないと、多量の球Ｆ，Ｇが一気に整流部２３２へ流れ込むことになり、整流部２３２では整流し切れないばかりか球詰まりも発生する。
【００５２】
上記のようにして、球Ａの振り子運動による遊技球の整流が行われ、整流構造部２４の凹段部２４２上に停留していた遊技球が整流部２３２へ送り出されて行くと、球Ａはその役目を終え、凹段部２４２の傾斜（整流部２３２の上流側に向う下り傾斜）に沿って自重で流下し、整流部２３の流入部２３１または整流部２３２の上流適所へ流れ込み、センサユニット４０へと誘導されて行く（図１０（ｄ１），（ｄ２）を参照）。
【００５３】
すなわち、本実施形態に係る遊技球回収装置１においては、球受け空部１１に受け入れられた遊技球をセンサユニット３０へ導く標準流路として、球受け空部１１の一側（左側）から後方に向う略直線状の流路（球受けボックス１０の球流路１６および球受けボックス支持体２０の球誘導路２３の上流部２３１）から、側方へ折れ曲がる屈曲部（整流部２３２）を有する流路構造を採用し、球受け空部１１へ多量の遊技球を受け入れたときに、標準流路の上流側（球受け空部１１からの遊技球が普通に流下してくる通常流入部であり、具体的には、球受けボックス１０の球流路１６）に受け入れられずに溢れた遊技球が標準流路の所定部位（通常流入部よりも下流側となる部位）へショートカットして流入する溢れ球流下許容開口部１７は、球受け空部１１の後方一側（左側）より整流構造部２４から整流部２３２へ向けて溢れ球を流入させ得るように、標準流路における通常流入部の下流側近傍に形成し、溢れ球流下許容開口部１７から整流部２３２へ至る部位に設けられる整流構造部２４には、標準流路を通る遊技球よりも高い位置で標準流路と隣接し、該隣接する標準流路の部位（整流部２３２の第１〜第３整流領域２３２ａ〜２３２ｃを設けた部位）における上流側に向って下り傾斜する棚状の溢れ球受入面として凹段部２４２と、凹段部２４２に受け入れられた遊技球が、凹段部２４２の傾斜上端を超えて移動することがないように規制する規制部として規制段部２４３と、凹段部２４２の標準流路側における傾斜上端に設けられ、当該傾斜上端から遊技球が標準流路へ流入することを阻止する阻止部として阻止壁２４４を設けたので、整流構造部２４の凹段部２４２に受け入れられた遊技球の内、少なくとも規制段部２４３と阻止壁２４４とによって標準流路への流入が阻まれている遊技球が凹段部２４２の傾斜に沿った振り子運動を行うことで、凹段部２４２から標準流路へ流れ込む球の流量を適量に制限することができ、球詰まりを生じさせない必要最小限の整流効果が得られる。
【００５４】
また、球誘導路２３の整流部２３２には、遊技球が流路側面に沿って蛇行する蛇行流路構造の第１〜第３整流領域２３２ａ〜２３２ｃを設けたので、更に高い整流効果を得ることができる。なお、本実施形態の遊技球回収装置１においては、整流構造部２４によって流下制限された遊技球が流れ込める部位（整流構造部２４と隣接する領域）よりも上流側（左側）から蛇行流路構造を設けたが、これよりも下流側に蛇行流路構造を設けても良い。
【００５５】
上述した第１実施形態に係る遊技球回収装置１においては、標準流路を屈曲状の流路とし、この屈曲部に対して整流構造部を設けるものとしたが、標準流路の形状や整流構造部の形成位置等は、これに限定されるものではない。
【００５６】
例えば、図１１（ａ）に示す第２実施形態に係る遊技球回収装置１′においては、底部が後方に下り傾斜する球受け空部６１の後方から一側方（右側）へ延びる直線流路構造の標準流路６２から遊技球検出器へ向けて遊技球を流下させ、球受け空部６１の後方における標準流路延出側（右側）より標準流路６２へ向けて溢れ球を流入させ得るように溢れ球流下許容開口部６３を形成し、球受け空部６１の標準流路延出側後部（溢れ球流下許容開口部６３の形成部位）と標準流路６４との交接部に整流構造部６４を設ける。
【００５７】
整流構造部６４は、標準流路６２を通る遊技球よりも高い位置で標準流路６２と隣接し、標準流路６２の上流側（左側）に向って下り傾斜する棚状の溢れ球受入面６４１と、溢れ球受入面６４１に受け入れられた遊技球が、溢れ球受入面６４１の傾斜上端を超えて移動することがないように規制する規制部たる側方規制面６４２と、溢れ球受入面６４１の標準流路６２側（後側）における傾斜上端（右側端）に設けられ、当該傾斜上端（右側端）から遊技球が標準流路６２へ流入することを阻止する阻止部６４３と、を備える。
【００５８】
上記のように構成した遊技球回収装置１′において、球受け空部６１に大量の球が流入し、遊技球が標準流路６２を秩序正しく流下できなくなって、多段に積み重なってくると、溢れ球流下許容開口部６３から整流構造部６４の溢れ球受入面６４１に乗り上げた遊技球が貯まってくる。しかしながら、少なくとも側方規制面６４２と阻止部６４３とによって標準流路６２への流入が阻まれている遊技球が溢れ球受入面６４１の傾斜に沿った振り子運動を行うことで、溢れ球受入面６４１から標準流路６２へ流れ込む球の流量を適量に制限することができ、球詰まりを生じさせない必要最小限の整流効果が得られる。
【００５９】
なお、上記第１実施形態における球誘導路２３の整流部２３２と同様に、遊技球が流路側面に沿って蛇行する蛇行流路構造を設ければ、更に高い整流効果を得ることができる。蛇行流路構造を設けるに際して、整流構造部６４によって流下制限された遊技球が流れ込める部位（整流構造部２４と隣接する領域）よりも上流側（左側）から蛇行流路構造を設けても良いし、これよりも下流側に蛇行流路構造を設けても良い。
【００６０】
図１１（ｂ）に示す第３実施形態に係る遊技球回収装置１″においては、底部が一側方（左側）に下り傾斜する球受け空部７１の一側方（左側）から後方へ延びる直線流路構造の標準流路７２から遊技球検出器へ向けて遊技球を流下させ、球受け空部７１の後方における標準流路延出側（左側）より標準流路７２へ向けて溢れ球を流入させ得るように溢れ球流下許容開口部７３を形成し、球受け空部７１の標準流路延出側後部（溢れ球流下許容開口部７３の形成部位）と標準流路７４との交接部に整流構造部７４を設ける。
【００６１】
整流構造部７４は、標準流路７２を通る遊技球よりも高い位置で標準流路７２と隣接し、標準流路７２の上流側（前側）に向って下り傾斜する棚状の溢れ球受入面７４１と、溢れ球受入面７４１に受け入れられた遊技球が、溢れ球受入面７４１の傾斜上端を超えて移動することがないように規制する規制部たる後方規制面７４２と、溢れ球受入面７４１の標準流路７２側（左側）における傾斜上端（後方端）に設けられ、当該傾斜上端（後方端）から遊技球が標準流路７２へ流入することを阻止する阻止部７４３と、を備える。
【００６２】
上記のように構成した遊技球回収装置１″において、球受け空部７１に大量の球が流入し、遊技球が標準流路７２を秩序正しく流下できなくなって、多段に積み重なってくると、溢れ球流下許容開口部７３から整流構造部７４の溢れ球受入面７４１に乗り上げた遊技球が貯まってくる。しかしながら、少なくとも後方規制面７４２と阻止部７４３とによって標準流路７２への流入が阻まれている遊技球が溢れ球受入面７４１の傾斜に沿った振り子運動を行うことで、溢れ球受入面７４１から標準流路７２へ流れ込む球の流量を適量に制限することができ、球詰まりを生じさせない必要最小限の整流効果が得られる。
【００６３】
なお、上記第１実施形態における球誘導路２３の整流部２３２と同様に、遊技球が流路側面に沿って蛇行する蛇行流路構造を設ければ、更に高い整流効果を得ることができる。蛇行流路構造を設けるに際して、整流構造部７４によって流下制限された遊技球が流れ込める部位（整流構造部２４と隣接する領域）よりも上流側（左側）から蛇行流路構造を設けても良いし、これよりも下流側に蛇行流路構造を設けても良い。
【００６４】
以上、本発明に係る遊技球回収装置の実施形態を添付図面に基づいて説明したが、本発明の包摂範囲は、これらの実施形態に限定されるものではなく、公知既存の手法を適宜転用することで実現しても構わない。
【図面の簡単な説明】
【００６５】
【図１】第１実施形態に係る遊技球回収装置を取り付けた島設備の概略構成図である。
【図２】標準状態における遊技球回収装置の俯瞰斜視図である。
【図３】調整状態における遊技球回収装置の俯瞰斜視図である。
【図４】球受けボックス支持体と球受けボックスを分離した遊技球回収装置の斜視図である。
【図５】標準状態における遊技球回収装置の下方より仰ぎ見た斜視図である。
【図６】（ａ）は標準状態における遊技球回収装置の平面図である。（ｂ）は調整状態における遊技球回収装置の平面図である。
【図７】（ａ）は図６（ａ）におけるＶＩａ−ＶＩａ線の矢視概略断面図である。（ｂ）は図６（ｂ）におけるＶＩｂ−ＶＩｂ線の矢視概略断面図である。
【図８】整流構造部形成位置における一部欠截斜視図である。
【図９】（１）は整流構造部周辺の概略横断平面図である。（２）は整流構造部周辺の概略縦断面図である。
【図１０】整流構造部による整流機能説明図である。
【図１１】（ａ）第２実施形態に係る遊技球回収装置の概略平面図である。（ｂ）は第３実施形態に係る遊技球回収装置の概略平面図である。
【符号の説明】
【００６６】
１      遊技球回収装置
１０    球受けボックス
１１    球受け空部
１６    球流路
１７    溢れ球流下許容開口部
２０    球受けボックス支持体
２３    球誘導路
２３２  整流部
２４    整流構造部
２４２  凹段部
２４３  規制段部
２４４  阻止壁
３０    センサユニット
【図１】
0004783800.tif 000002
【図２】
0004783800.tif 000003
【図３】
0004783800.tif 000004
【図４】
0004783800.tif 000005
【図５】
0004783800.tif 000006
【図６】
0004783800.tif 000007
【図７】
0004783800.tif 000008
【図８】
0004783800.tif 000009
【図９】
0004783800.tif 000010
【図１０】
0004783800.tif 000011
【図１１】
0004783800.tif 000012